(57)【要約】【課題】画面に対して操作可能なユーザーを制限すると共に、ユーザーの画面選択操作を容易にすることを目的とする。【解決手段】入力される複数の映像を同時に表示することが可能なマルチ画面表示装置であって、ユーザーの指紋データを指紋記憶手段に登録する指紋登録手段と、指紋データを画面の画面属性として登録する画面属性登録手段と、を有することによって課題を解決する。【選択図】図１
2008193258.tif 000002
【特許請求の範囲】
【請求項１】
入力される複数の映像を同時に表示することが可能なマルチ画面表示装置であって、
ユーザーの指紋データを指紋記憶手段に登録する指紋登録手段と、
前記指紋データを画面の画面属性として登録する画面属性登録手段と、
を有することを特徴とするマルチ画面表示装置。
【請求項２】
取得した指紋データと、前記指紋記憶手段に記憶された指紋データと、の照合を行なう指紋照合手段と、
前記指紋照合手段の照合の結果に基づいて、前記指紋記憶手段に記憶された指紋データを画面属性として持つ画面を選択する画面選択手段と、
を更に有することを特徴とする請求項１に記載のマルチ画面表示装置。
【請求項３】
ユーザーの個人設定をユーザーの指紋データと関連付けて個人設定記憶手段に登録する個人設定登録手段と、
前記指紋照合手段の照合の結果に基づいて、前記ユーザーの個人設定を検索する個人設定検索手段と、
前記個人設定検索手段の検索結果に基づいて、画面設定を行なう制御手段と、
を更に有することを特徴とする請求項２に記載のマルチ画面表示装置。
【請求項４】
入力される複数の映像を同時に表示することが可能なマルチ画面表示装置におけるマルチ画面表示制御方法であって、
ユーザーの指紋データを指紋記憶手段に登録する指紋登録ステップと、
前記指紋データを画面の画面属性として登録する画面属性登録ステップと、
を有することを特徴とするマルチ画面表示制御方法。
【請求項５】
取得した指紋データと、前記指紋記憶手段に記憶された指紋データと、の照合を行なう指紋照合ステップと、
前記指紋照合ステップにおける照合の結果に基づいて、前記指紋記憶手段に記憶された指紋データを画面属性として持つ画面を選択する画面選択ステップと、
を更に有することを特徴とする請求項４に記載のマルチ画面表示制御方法。
【請求項６】
ユーザーの個人設定をユーザーの指紋データと関連付けて個人設定記憶手段に登録する個人設定登録ステップと、
前記指紋照合ステップにおける照合の結果に基づいて、前記ユーザーの個人設定を検索する個人設定検索ステップと、
前記個人設定検索ステップの検索結果に基づいて、画面設定を行なう制御ステップと、
を更に有することを特徴とする請求項５に記載のマルチ画面表示制御方法。
【発明の詳細な説明】
【技術分野】
【０００１】
本発明は、マルチ画面表示装置及びマルチ画面表示制御方法に関する。
【背景技術】
【０００２】
近年、様々なメディアから供給される多種多様な映像データを同時に表示するために、１つのディスプレイに複数の画面を開き、各画面に異なる入力ソースを表示するマルチ画面の機能が実現されてきている（例えば、特許文献１参照）。そして、このマルチ画面の機能により、家庭内において１つのディスプレイで例えば複数のユーザー（視聴者）が、同時に各々の映像を視聴することが可能となってきている。
【０００３】
【特許文献１】特開２００５−３００８４５号公報
【発明の開示】
【発明が解決しようとする課題】
【０００４】
しかしながら、従来のマルチ画面表示機能を持ったディスプレイでは、表示される複数の画面に対して、全てのユーザーがチャンネル変更や音量調整といった操作や画面サイズの変更等の設定が可能であった。したがって、ユーザーは意図しない画面に対して操作を行ってしまったり、他のユーザーの操作によって視聴を妨げられてしまったりする問題があった。
【０００５】
これは、複数のユーザーが１台のリモコンを共有し、操作に先立ち、リモコンの画面選択ボタンを押す等の画面選択操作で操作対象となる画面を選び、表示された任意の画面に対して操作が可能であったためである。
【０００６】
更に、このような画面選択操作を行うことはユーザーにとって大きな手間であり、特に表示されている画面の数が多くなった場合等は、その中から目的とする画面を選択する操作は快適な視聴の妨げとなり得る。
【０００７】
また、ユーザーは視聴する位置を考慮して、ディスプレイ上の視聴しやすい位置に該ユーザーが視聴する画面を配置する。例えば家庭内においては、各ユーザーの画面位置は概ね決まっている。しかしながら従来のディスプレイでは、各ユーザーは視聴の度に画面の位置を変更しなければならず、やはり手間となっていた。
【０００８】
本発明はこのような問題点に鑑みなされたもので、画面に対して操作可能なユーザーを制限すると共に、ユーザーの画面選択操作を容易にすることを目的とする。
【課題を解決するための手段】
【０００９】
そこで、本発明は、入力される複数の映像を同時に表示することが可能なマルチ画面表示装置であって、ユーザーの指紋データを指紋記憶手段に登録する指紋登録手段と、前記指紋データを画面の画面属性として登録する画面属性登録手段と、を有することを特徴とする。
【００１０】
また、本発明は、マルチ画面表示制御方法としてもよい。
【発明の効果】
【００１１】
本発明によれば、画面に対して操作可能なユーザーを制限すると共に、ユーザーの画面選択操作を容易にすることができる。
【発明を実施するための最良の形態】
【００１２】
以下、本発明の実施形態について図面に基づいて説明する。
【００１３】
図１は、マルチ画面表示装置の構成の一例を示すブロック図である。図１に示されるように、本実施形態に係るマルチ画面表示装置は、１つのチューナー部１と、１つの外部入力部２と、からの入力を入力ソースとし、２つの入力ソースを１つの表示部３上に同時にマルチ画面表示できるように構成されている。なお、マルチ画面表示装置に入力される入力ソースの数は２つ以上でもよいし、２つ以下でもよい。
【００１４】
チューナー部１は、アナログ地上波やＢＳ／ＣＳ放送、ＣＡＴＶ（ケーブルＴＶ）等からデジタル信号を受信する。また、チューナー部１は、受信した信号を帯域フィルタ、ダウンコンバータ等を通過させた後に、復号処理、エラー訂正処理等を行ない、トランスポート・ストリームを生成する。生成されたトランスポート・ストリームは、チューナー部１に含まれるデマルチプレクサによって映像データと、音声データと、付加情報と、に分割される。分割された映像データは画像処理部５へ出力され、音声データは音声処理部６へ出力され、付加情報は制御部９へ出力される。
【００１５】
外部入力部２は、外部入力部２に接続された外部機器から映像データ、音声データを入力ソースとして受け取る。受け取った入力ソースがＤＶＤ装置の出力するコンポジット信号であった場合、外部入力部２は、このコンポジット信号を映像データとして画像処理部５へ出力する。また、受け取った入力ソースがコンピュータのアナログ信号であった場合、外部入力部２は、このアナログ信号を映像データとして画像処理部５へ出力する。
【００１６】
画像処理部５は、画像処理部５に入力される映像データの数だけ処理部を持ち、画像処理部５へ入力された映像データに応じた処理を行う。画像処理部５へ入力された映像データがチューナー部１で出力された映像データであった場合、画像処理部５は、映像データをデコードし、制御部９からの指示に従い、画面フォーマット（サイズや色数）に変換する。画像処理部５へ入力された映像データが外部入力部２で出力されたＤＶＤ装置からのコンポジット信号であった場合、画像処理部５は、ＹＵＶからＲＧＢに変換するための色変換やＩＰ変換を行ない、制御部９からの指示に従い、画面フォーマットに変換する。
【００１７】
更に画像処理部５は、処理の行われた各映像データを制御部９からの入力に従い、所定の画面レイアウト（位置、サイズ、重ね合わせ効果等）となるように合成し、最終的なマルチ画面を生成する。図２は、２つの入力ソースを同時に表示した場合のマルチ画面の表示例を示す図である。
【００１８】
再び図１の説明に戻り、音声処理部６は、音声処理部６に入力される音声データの数だけ処理部を持ち、音声処理部６に入力される音声データをデコードし、音声信号として音声制御部８に出力する。
【００１９】
音声制御部８は、制御部９からの指示に従い、マルチ画面で表示する複数の映像に関連する各音声信号の出力先を決定する。なお、制御部９は、画面の生成された順番を音声優先度とする。そして、制御部９は、制御部９が保持する画面の画面属性の一つとして音声優先度を設定する。音声制御部８は、制御部９から各画面の音声優先度を取得し、各音声信号の出力先を決定する。音声制御部８は、例えば、音声優先度の最も高い画面に関連する音声信号はメインスピーカーで再生されるよう制御し、音声優先度の低い画面に関連する音声信号は音声出力端子から出力されるよう制御する。
【００２０】
表示制御部７は、制御部９からの入力に従い、表示部３のフレームレートに同期して、表示部３の特性に応じた表示駆動の制御及び入力された映像データの表示フォーマット変換等を行う。
【００２１】
表示部３は表示装置であって、デバイスとしては、液晶でもプラズマでも、ＣＲＴでも、画像を表示することのできるデバイスであれば何でもよい。本実施形態では、表示部３は、マルチ画面を実現する目的から、大画面で高精細なハイビジョン対応の液晶ディスプレイやプラズマディスプレイであるものとする。
【００２２】
音声出力部４は音声出力装置であって、音声制御部８から入力された音声信号を再生する。本実施形態のマルチ画面表示装置は、同時に２つの音声信号を再生することができるように、メインスピーカーと、音声出力端子に接続されたヘッドホンと、の２つの音声出力部を有するものとする。音声処理部６から複数の音声信号が入力された場合、音声制御部８は、上述したように、入力された音声信号のうち、音声優先度の最も高い音声信号をメインスピーカーで出力するよう制御し、次に音声優先度の高い音声信号をヘッドホンで出力するよう制御する。
【００２３】
なお、操作入力部１０からの入力によって、音声信号の出力先をユーザーが設定するようにしてもよい。そして、制御部９又は音声制御部８は、このユーザーによって設定された出力先に基づいて、音声の出力先を決定するようにしてもよい。
【００２４】
操作入力部１０は、ユーザーインターフェースであり、電源のオンオフ、テレビチャンネル選択や音量調節等の入力をユーザーから受ける。本実施形態では、操作入力部１０としてリモコン（リモートコントローラ）を使用するものとする。
【００２５】
図３は、リモコンの構成を示す概観図である。図３において、入力部はタッチパネルで構成されており、電源、チャンネル、音量等のボタンを持っている。なお、本実施形態では操作入力部１０としてリモコンを使用しているが、マウスやキーボード等のユーザーインターフェースを使用することもできる。また、操作入力部１０をマルチ画面表示装置に持たせることもできる。
【００２６】
再び図１の説明に戻り、操作入力制御部１２は、入力されたコマンドやデータ等の信号を、制御部９に入力するのに適した信号へ変換し、制御部９へ出力する。
【００２７】
指紋取得部１１は、ユーザーの指紋を読み取り、読み取ったデータを指紋データとしてリモコン送信部２３及びリモコン受信部２４等を介して指紋認証制御部１３に送信する。本実施形態では、図１に示されるように指紋取得部１１はリモコンで実現されている。例えば、図３に示されるように、タッチパネル部分に指紋センサの機能を実装することによって、ユーザーがタッチパネル上のボタンを押すと同時にユーザーの指紋を読み取ることができる。よって、ユーザーは指紋認証動作を意識することなく操作入力動作を行うことができる。
【００２８】
なお、指紋取得部１１と、操作入力部１０と、をそれぞれ独立に実現して、指紋認証動作と、操作入力動作と、をそれぞれ別動作としてユーザーに行わせることもできる。
【００２９】
また、本実施形態では、ユーザーの認証方法として指紋認証を用いて説明を行うが、虹彩や声等のバイオメトリクス認証を用いるようにしてもよい。
【００３０】
リモコン送信部２３は、赤外線通信機能を用いて、赤外線を通信媒体として、操作入力部１０からのコマンドやデータ、指紋取得部１１で取得された指紋データをマルチ画面表示装置のリモコン受信部２４に送信する。
【００３１】
リモコン受信部２４は、リモコン受光部を有し、リモコン送信部２３から送信されたコマンドやデータ、指紋データを受信する。そして、リモコン受信部２４は、受信したコマンドやデータを操作入力制御部１２へ出力し、指紋データを指紋認証制御部１３へ出力する。
【００３２】
指紋認証制御部１３は、内部に一時的に指紋データを保持するための指紋記憶部を有し、指紋データと、制御部９から受け取った画面ＩＤ番号と、を組み合わせて保持する。ここで、画面ＩＤ番号は、指紋データを画面属性として持つ画面を指し示す番号である。
【００３３】
画面属性登録部２１は、制御部９で生成される画面に対して、画面の画面属性として指紋データ等を登録する。
【００３４】
画面選択部２０は、指紋取得部１１で指紋データが取得されると、制御部９で管理している画面の中から指紋データを画面属性として持つ画面の選択を行なう。
【００３５】
制御部９は、本実施形態に係るマルチ画面表示装置全体を制御する制御部であり、演算能力を持つＣＰＵ、データを一時的に格納するＲＡＭ、制御プログラムを格納するＲＯＭ、時間を計測するカウンタ等を有している。
【００３６】
例えば、制御部９は、表示部３に表示されている画面を管理し、画面を指し示す画面ＩＤ番号と、画面の持つ画面属性と、を組み合わせてＲＡＭに保持している。画面ＩＤ番号は、制御部９が画面を生成する際に画面を一意に指し示す番号として設定される。また本実施形態では画面属性として、画面のサイズ、位置、指紋データ、色調、音量、ユーザー名、音声優先度等が画面属性登録部２１によって登録される。
【００３７】
指紋照合部１４は、指紋データを照合キーとして、指紋記憶部１５のデータベースに格納されている指紋データとの照合を行う。照合の結果、照合キーの指紋データと一致する指紋データが指紋記憶部１５のデータベースに格納されている場合、指紋照合部１４は、データベースから前記指紋データと対応する個人ＩＤ番号を取得する。
【００３８】
また、指紋照合部１４は、指紋データを照合キーとして、指紋認証制御部１３に保持されている指紋データとの照合を行なう。照合の結果、照合キーの指紋データと一致する指紋データが指紋認証制御部１３に保持されている場合、指紋照合部１４は、指紋データに対応する画面ＩＤ番号を取得する。
【００３９】
ここで、指紋記憶部１５は、指紋データと、該指紋データに対応した個人ＩＤ番号と、を組み合わせて記憶する。なお、指紋記憶部１５は、電源を切ってもデータが保持されるハードディスクやフラッシュメモリを用いた指紋記憶データベースとして機能する。更に、指紋記憶部１５は、個人ＩＤ番号から対応する指紋データを指定することも、指紋データから対応する個人ＩＤ番号を指定することもできる。
【００４０】
指紋登録部１６は、指紋認証制御部１３から入力された指紋データと、個人設定制御部１７から入力された個人ＩＤ番号と、を組み合わせて、指紋記憶部１５のデータベースに登録する。
【００４１】
個人設定制御部１７は、制御部９からの指示に従い、個人設定情報の読み出し処理や登録処理のコントロールを行う。個人設定情報の読み出し処理の指示を受けると、個人設定制御部１７は、個人設定検索部１８を呼び出し、個人設定情報を取得する。また、個人設定情報の登録処理の指示を受けると、個人設定制御部１７は、指紋登録部１６と、個人設定登録部２２と、を呼び出す。
【００４２】
個人設定検索部１８は、個人ＩＤ番号を検索キーとして、個人設定記憶部１９のデータベースから個人設定情報を検索し、検索の結果得られた個人設定情報を取得する。
【００４３】
個人設定記憶部１９は、個人設定情報と、個人設定情報に対応した個人ＩＤ番号と、を組み合わせて記憶する。なお、個人設定記憶部１９は、電源を切ってもデータが保持されるハードディスクやフラッシュメモリを用いた個人設定記憶データベースとして機能する。本実施形態では、個人設定記憶部１９は、個人設定情報として画面のサイズや位置、色調、音量、ユーザー名を持つことができる。更に、個人設定記憶部１９は、個人ＩＤ番号から対応する個人設定情報を読み出したり、書き込んだりすることができる。
【００４４】
個人設定登録部２２は、個人設定制御部１７から入力された個人設定情報（画面サイズ、位置等）と、個人ＩＤ番号と、を組み合わせて、個人設定記憶部１９に登録する。
【００４５】
図４は、マルチ画面表示装置の動作（画面表示制御動作）の一例を示すフローチャートである。
まず、画面生成及び生成された画面の画面属性として指紋（指紋データ）を登録する動作について説明する。
【００４６】
ユーザーがテレビ番組を視聴するためにリモコンのボタンに触れて、視聴するテレビチャンネルを入力すると、操作入力部１０は、ユーザーからのコマンドを取得する（ステップＳ１）。
【００４７】
ユーザーからのコマンド取得と同時に指紋取得部１１は、ユーザーの指紋を読み取り、指紋データを取得する。取得した指紋データと、ステップＳ１で取得したコマンドと、はリモコン送信部２３からマルチ画面表示装置のリモコン受信部２４へ赤外線通信で送信される。リモコン受信部２４は、リモコン送信部２３からの信号を受け取ると、ユーザーからのコマンドを制御部９へ、ユーザーの指紋データを指紋認証制御部１３へ出力する（ステップＳ２）。
【００４８】
指紋認証制御部１３は、リモコン受信部２４からユーザーの指紋データを取得すると、この指紋データを指紋照合部１４に渡す。指紋照合部１４は、前記指紋データを照合キーとして指紋認証制御部１３で保持されている指紋データとの照合を行なう。指紋照合部１４は、指紋認証制御部１３から受け取った指紋データに該当する指紋データが指紋認証制御部１３で保持されていた場合、この指紋データと組み合わせて保持されている画面ＩＤ番号を取得し、指紋認証制御部１３を介して画面選択部２０へ供給する。画面選択部２０は、制御部９から現在表示されている画面の画面ＩＤ番号を取得し、取得した画面ＩＤ番号と、指紋照合部１４から供給された画面ＩＤ番号との比較を行ない、操作対象となる画面があるか否かの判定を行う（ステップＳ３）。
【００４９】
画面選択部２０は、ステップＳ３の判定において、操作対象となる画面が存在しないと判定すると、制御部９に対して操作対象となる画面がないことを通知する。制御部９は、この通知を受け取ると、画面生成に先駆けて個人設定制御部１７に個人設定情報の検索を要求する。個人設定制御部１７は、制御部９から個人設定情報の検索要求を受け取ると、検索キーとなる個人ＩＤ番号を取得するために指紋認証制御部１３に対して指紋の照合を要求する。指紋照合部１４は、指紋認証制御部１３からステップＳ２で取得された指紋データを受け取ると、この指紋データと、指紋記憶部１５に記憶されている指紋データと、の照合を行う。照合の結果、指紋記憶部１５にステップＳ２で取得された指紋データに対応する指紋データが記憶されている場合、指紋照合部１４は、この指紋データに対応する個人ＩＤ番号を、指紋認証制御部１３を介して個人設定制御部１７へ渡す。続いて、個人設定制御部１７から前記個人ＩＤ番号を受け取った個人設定検索部１８が、前記個人ＩＤ番号を検索キーとして、個人設定記憶部１９から個人設定情報（サイズ、位置等）の検索を行なう（ステップＳ５）。
【００５０】
個人設定検索部１８は、検索結果に基づいて、前記個人ＩＤ番号に対応する個人設定情報が個人設定記憶部１９にあるか否かの判定を行う（ステップＳ６）。
【００５１】
個人設定検索部１８は、ステップＳ６の判定において、前記個人ＩＤ番号に対応する個人設定情報が個人設定記憶部１９にあると判定すると、前記個人設定情報を呼び出し（又は取得し）、個人設定制御部１７を介して制御部９へ送る（ステップＳ７）。
【００５２】
一方、個人設定検索部１８は、ステップＳ６の判定において、前記個人ＩＤ番号に対応する個人設定情報が個人設定記憶部１９にないと判定すると、前記個人ＩＤ番号に対応する個人設定情報が個人設定記憶部１９にないことを個人設定制御部１７に通知する。個人設定制御部１７は、この通知を受け取ると、個人設定検索部１８を介して個人設定記憶部１９から初期設定値を個人設定情報として呼び出し（又は取得し）、制御部９へ送る（ステップＳ１２）。
【００５３】
制御部９は、個人設定制御部１７から個人設定情報を受け取ると、個人設定情報を基に、個人設定情報を画面属性（サイズ、位置等）として持つ画面を生成する（ステップＳ８）。つまり、制御部９は、個人設定情報を画面属性として設定（画面設定）した画面を生成する。
【００５４】
続いて、画面属性登録部２１は、ステップＳ２で取得された指紋データに対応する画面ＩＤ番号を指紋認証制御部１３から取得し、取得した画面ＩＤ番号を制御部９で生成された画面の画面属性として登録する（ステップＳ９）。
【００５５】
一方、Ｓ１で取得されたユーザーからのコマンドは、操作入力制御部１２で制御部９に入力するのに適した形に変換され、ステップＳ８で生成された画面に対するコマンドとして制御部９へ入力される。制御部９は、画像処理部５に対して、処理すべき入力ソースの指定や、画面フォーマットの指定等をコマンドとして入力する。画像処理部５は、制御部９から入力されたコマンドに従い、各入力ソースに対して必要な処理を行った後、合成を行ない、最終的なマルチ画面の映像データを表示制御部７へ出力する。そして、最終的な映像が表示部３で表示される。同様に、音声処理部６は、制御部９からの入力に従って、各入力ソースに対して必要な処理を行ない、音声信号を音声制御部８に出力する。音声制御部８は、制御部９からの入力に従い、音声処理部６から入力された音声信号の出力先を決定する。そして、最終的に音声が音声出力部４から出力される（ステップＳ１０）。
【００５６】
次に、画面生成後のユーザーからの入力操作に対する動作について引き続き図４のフローチャートを用いて説明する。
【００５７】
画面選択部２０は、ステップＳ３の判定において、操作対象となる画面が存在すると判定すると、制御部９に対して操作対象となる画面の画面ＩＤ番号を通知する。制御部９は、この画面ＩＤ番号を画面属性として持つ画面を、操作入力制御部１２から入力されたコマンドの対象画面として設定する。続いて制御部９は、制御部９に入力されたコマンドの解釈（解読）を始め、入力されたコマンドが個人設定に関する入力であるか否かの判定を行う（ステップＳ４）。
【００５８】
制御部９は、ステップＳ４の判定において、入力されたコマンドが個人設定に関するコマンドでないと判定すると、入力されたコマンドが画面消去に関するコマンドか否かを判定する（ステップＳ１３）。
【００５９】
制御部９は、ステップＳ１３の判定において、入力されたコマンドが画面消去に関するコマンドでないと判定すると、入力されたコマンドに応じた処理を実行する（ステップＳ１４）。例えば入力されたコマンドはチャンネル変更や、音量調整、入力ソースの切替え等に関するコマンドであり、制御部９は、入力されたコマンドに応じてパラメータの設定等の必要な処理を行う。そして、制御部９は、画像処理部５、又は音声処理部６、又は音声制御部８等にコマンドを入力する。
【００６０】
そして再び入力待ちとなって、ユーザーからの入力が無ければループ処理となって、マルチ画面表示装置において、入力ソースの画像処理や音声処理が続けられ、画面表示及び音声出力が行われる（ステップＳ１１）。
【００６１】
次に、個人設定の登録操作に対する動作について引き続き図４のフローチャートを用いて説明する。
【００６２】
制御部９は、ステップＳ４の判定において、入力されたコマンドが個人設定に関するコマンドであると判定すると、ユーザーの入力した画面位置やサイズ等の個人設定情報を操作入力制御部１２から受け取り、個人設定情報の登録を個人設定制御部１７へ要求する。個人設定制御部１７は、制御部９から個人設定情報を取得すると、この個人設定情報に対して個人ＩＤ番号を与えて、個人設定登録部２２へ登録の要求をする。同時に個人設定制御部１７は、前記個人ＩＤ番号を指紋登録部１６に送り、指紋データの登録を要求する。個人設定登録部２２は、個人設定制御部１７から取得した個人ＩＤ番号と、個人設定情報と、を組み合わせて、個人設定記憶部１９に登録する。一方、指紋登録部１６は、個人設定制御部１７から個人ＩＤ番号を取得すると、指紋認証制御部１３からステップＳ２で取得された指紋データを受け取り、前記個人ＩＤ番号と、前記指紋データと、を組み合わせて指紋記憶部１５へ登録する（ステップＳ１５）。
【００６３】
次に、画面消去操作に対する動作について引き続き図４のフローチャートを用いて説明する。
【００６４】
制御部９は、ステップＳ１３の判定において、入力されたコマンドが画面消去に関するコマンドであると判定すると、操作対象画面の消去を行ない、保持している操作対象画面の画面ＩＤ番号や画面属性の消去を行う（ステップＳ１６）。
【００６５】
続いて、制御部９は、保持している画面の画面数が０であるか否かを判定する（ステップＳ１７）。画面数が０であると判定すると、制御部９は、マルチ画面表示装置の電源をオフにし、図４に示す処理を終了する。
【００６６】
以上、上述した実施形態によれば、画面に対して操作可能なユーザーを制限すると共に、ユーザーの画面選択操作を容易にすることができる。
上述したマルチ画面表示装置によれば、マルチ画面の各画面に対して、ユーザーの指紋データの関連付けを行ない、指紋認証により操作対象となる画面の選択を行う。これによって他のユーザーからの操作を禁止することができ、他のユーザーの操作によって視聴を妨げられることを防止することができる。また、指紋認証によって操作対象画面を自動的に選択することができ、画面選択操作といった手間を省くことができる。更に、予め画面の個人設定を登録しておけば、指紋認証によって操作対象画面の個人設定が自動的に行われるため、視聴の度にユーザーの見やすい位置や大きさに画面を設定するといった手間を省くことができる。
【００６７】
＜その他の実施形態＞
また、本発明の目的は、以下のようにすることによって達成される。即ち、上述した実施形態の機能を実現するソフトウェアのプログラムコードを記録した記録媒体（又は記憶媒体）を、システム或いは装置に供給する。そして、そのシステム或いは装置のコンピュータ（又はＣＰＵやＭＰＵ）が記録媒体に格納されたプログラムコードを読み出し実行する。この場合、記録媒体から読み出されたプログラムコード自体が上述した実施形態の機能を実現することになり、そのプログラムコードを記録した記録媒体は本発明を構成することになる。
【００６８】
また、コンピュータが読み出したプログラムコードを実行することにより、そのプログラムコードの指示に基づき、コンピュータ上で稼働しているオペレーティングシステム（ＯＳ）等が実際の処理の一部又は全部を行う。その処理によって上述した実施形態の機能が実現される場合も含まれる。
【００６９】
更に、記録媒体から読み出されたプログラムコードが、コンピュータに挿入された機能拡張カードやコンピュータに接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【００７０】
本発明を前記記録媒体に適用する場合、その記録媒体には、先に説明したフローチャートに対応するプログラムコードが格納されることになる。
【００７１】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００７２】
【図１】マルチ画面表示装置の構成の一例を示すブロック図である。
【図２】２つの入力ソースを同時に表示した場合のマルチ画面の表示例を示す図である。
【図３】リモコンの構成を示す概観図である。
【図４】マルチ画面表示装置の動作の一例を示すフローチャートである。
【符号の説明】
【００７３】
１１  指紋取得部
１２  操作入力制御部
１３  指紋認証制御部
１４  指紋照合部
１５  指紋記憶部
１６  指紋登録部
１７  個人設定制御部
１８  個人設定検索部
１９  個人設定記憶部
２０  画面選択部
２１  画面属性登録部
２２  個人設定登録部
【図１】
2008193258.tif 000003
【図２】
2008193258.tif 000004
【図３】
2008193258.tif 000005
【図４】
2008193258.tif 000006